(57)【要約】【課題】装着対象となる円形飲料容器の直径よりも大きな景品等を収納できる一つの円形飲料容器に用いる収納用蓋を提供する。【課題の解決手段】収納用蓋１は、四角筒状で天面が閉塞され底面が開放された合成樹脂製の本体２を備え、この本体２の側壁３の内面における開放底面近傍にはそれぞれ、円形飲料容器の上縁部に係止するための係止突起４を一体的に設け、各係止突起４は、内側面が円弧状に凹入する凹入面４ａとなり、各係止突起４のそれぞれに適宜間隔をおいて下端が対向位置する縦リブ６を天面に向けてほぼ垂直に伸びるよう設け、また、景品等を載置する台紙を支持する補助突起５を設ける。各係止突起４の凹入面４ａが円形飲料容器の外周面に対応することで、安定状態で確実に円形飲料容器の上縁部に係止することができ、また、収納用蓋１の天板８の対角線対応部分は、円形飲料容器の直径よりも長いので、より大きな景品等を収納できる。【選択図】図１
0003174777.tif 000002
【実用新案登録請求の範囲】
【請求項１】
一つの円形飲料容器に着脱可能に装着される景品等の収納用蓋であって、四側壁を有する筒状で天面が閉塞され底面が開放されてなる景品等の収納用空間を形成する本体を備え、円形飲料容器の上縁部に係脱可能に係止されることを特徴とする一つの円形飲料容器に用いる景品等の収納用蓋。
【請求項２】
前記本体の各側壁内面には、開放底面近傍に円形飲料容器の上縁部に係脱可能に係止するための係止突起を設け、前記各係止突起のそれぞれに適宜間隔をおいて下端が対向位置する縦リブを天面に向けてほぼ垂直に伸びるよう設けたことを特徴とする請求項１記載の一つの円形飲料容器に用いる景品等の収納用蓋。
【請求項３】
前記本体と、前記本体の平面形状に倣った平面形状を有し、景品等を載置するとともに円形飲料容器の上縁部に係脱可能に係止するための係止突起を四側壁の内面に設けた台部とを備え、前記本体と前記台部とは着脱可能に取り付けられていることを特徴とする請求項１記載の一つの円形飲料容器に用いる景品等の収納用蓋。
【請求項４】
前記本体の各側壁内面に、景品等の収納物を載置する台紙を支持する補助突起を設けたことを特徴とする請求項２記載の一つの円形飲料容器に用いる景品等の収納用蓋。
【請求項５】
前記各係止突起の内側面は円弧状に凹入してなることを特徴とする請求項２〜請求項４のいずれか１項に記載の一つの円形飲料容器に用いる景品等の収納用蓋。
【考案の詳細な説明】
【技術分野】
【０００１】
本考案は、上下両面が閉塞されたほぼ円筒状の容器である円形飲料容器、例えばコーヒーや紅茶等の飲料用缶に、脱着可能に装着する一つの円形飲料容器に用いる景品等の収納用蓋に関する。
【背景技術】
【０００２】
現在使用されている一般的な円形飲料容器は、閉塞された上面にプルトップ式の開蓋機構が設けられ、上面の周縁には全周にわたる上縁リブを有し、上縁リブの下側に沿って窪み部が形成されている。そして、従来の景品等の収納用蓋は、天面が閉塞された円筒状本体を有し、本体の下端縁内径が円形飲料容器の前記上縁リブの外径よりも若干大径で、本体内面の下端縁近傍には、飲料用缶の前記窪み部に嵌合するように周方向に等間隔をおいて複数の嵌合リブを突設し、また、本体内面には閉塞天面から垂下して前記嵌合リブとは所定間隔を置いた位置まで伸びる縦リブを突設することにより、前記嵌合リブを飲料用缶の前記窪み部に嵌合して装着するものである（特許文献１参照）。
【先行技術文献】
【特許文献】
【０００３】
【特許文献１】実用新案登録第３１５３５９８号公報
【考案の概要】
【考案が解決しようとする課題】
【０００４】
しかし、従来の景品等の収納用蓋は、円形飲料容器が平面円形の形状であるため、この形状に合致するよう本体は天面が閉塞された円筒状に形成されているので、収納する景品等は、円形飲料容器の天面の直径よりも小さいサイズでないと収納できないという問題があった。
本考案は、この問題を解決した一つの円形飲料容器に用いる景品等の収納用蓋を提供することを目的とする。
【課題を解決するための手段】
【０００５】
この目的を達成するため本考案に係る一つの円形飲料容器に着脱可能に装着される景品等の収納用蓋は、四側壁を有する筒状で天面が閉塞され底面が開放されてなる景品等の収納用空間を形成する本体を備え、この本体の各側壁内面には、開放底面近傍に円形飲料容器の上縁部に係止するための係止突起を設け、各係止突起の内側面は円弧状に凹入してなるとともに、前記各係止突起のそれぞれに適宜間隔をおいて下端が対向位置する縦リブを天面に向けてほぼ垂直に伸びるよう設けたものである。また、前記各係止突起の内側面は円弧状に凹入してなるとともに、前記各側壁内面に、景品等の収納物を載置する台紙を支持する補助突起を設けると好適である。さらに、四側壁を有する筒状で天面が閉塞され底面が開放された景品等の収納用空間を形成する本体と、本体の平面形状に倣った平面形状を有し、景品等を載置するとともに円形飲料容器の上縁部に係脱可能に係止するための係止突起を四側壁の内面に設けた台部とを備え、前記本体と前記台部とを着脱可能に取り付けて構成することもできる。この場合も前記各係止突起の内側面は円弧状に凹入してなると好適である。
【考案の効果】
【０００６】
本考案に係る一つの円形飲料容器に用いる景品等の収納用蓋によれば、景品等の収納用空間を形成する天面が閉塞された本体は四側壁を有する筒状なので、天面の対角線は円形飲料用缶の直径よりも長くなるため、景品を前記対角線に対応するよう配置することで、円形飲料容器の直径より大きな景品の収納が可能となる。また、本体と台部を備えた構成においても、ともに四側壁を有する形状なので、同様にして円形飲料容器の直径より大きな景品の収納が可能となる。
【図面の簡単な説明】
【０００７】
【図１】本考案の第１の実施形態を示す斜視図。
【図２】同じく円形飲料容器たる飲料用缶に装着した状態の側面図。
【図３】同じく同状態の平面図。
【図４】本考案の第２の実施形態を本体と台部を離反して示す斜視図。
【図５】同じく台部の底面図。
【図６】同じく円形飲料容器たる飲料用缶に装着した状態の部分拡大断面図。
【考案を実施するための形態】
【０００８】
以下、本考案を飲料用缶に適用した場合の第１の実施形態について、図１〜図３に基づいて詳細に説明する。
【０００９】
図１に示すように、収納用蓋１は、弾性を有する透視可能な合成樹脂製で、角部がアール状の四角筒状で天面が天板８で閉塞され底面が開放されてなる、景品等の収納用空間を形成する本体２を備えている。前記天板８の平面形状はほぼ正方形状で、天板８の四側から垂下する前記本体２の４つの側壁３は、図２、図３で理解できるように、装着対象となる飲料用缶１０の外周の接線に対応する位置で上下方向に伸びている。
【００１０】
各側壁３の内面における開放底面近傍にはそれぞれ、幅方向の中央に位置して、飲料用缶１０の上縁部に係止するための係止突起４を一体的に設けている。各係止突起４は、飲料用缶１０の外周面に当接する内側面が円弧状に凹入する凹入面４ａとなっている。
【００１１】
また、各側壁３の内面には、前記各係止突起４のそれぞれに適宜間隔をおいて下端が対向位置する縦リブ６を、天板８に向けてほぼ垂直に伸びるよう設けている。これらの縦リブ６は、本体２の強度を補強するとともに、収納用蓋１を飲料用缶１０に装着するときに、ストッパとして機能する。
【００１２】
さらに、各側壁３の内面には、景品等を載置する台紙１１を支持する補助突起５を各係止突起４の両側に適宜間隔をおいて設けている（図２参照）。そして、前記各補助突起５のそれぞれに適宜間隔をおいて下端が対向位置する縦リブ７を、天板８に向けてほぼ垂直に伸びるよう設けている。これらの縦リブ７は、縦リブ６よりは細いが本体２の強度を補強するとともに、前記補助突起５が台紙１１を支持する際に、台紙１１を押える機能を有する。
【００１３】
本実施形態は以上のように構成したので、収納用蓋１は、飲料用缶１０の上方から開放底面を下にして押し込むと、各係止突起４が飲料用缶１０の上縁リブを乗り越えて窪み部に嵌合するとともに、縦リブ６下端が前記上縁リブに当接して下方への移動を阻止し、装着状態となる。この時、各係止突起４の凹入面４ａが飲料用缶１０の外周面に対応して、安定状態で確実に飲料用缶１０の上縁部に係止することができる。一方、収納用蓋１を飲料用缶１０から脱却するには、上方へ引き抜けばよいものである。収納用蓋１は、弾性を有する合成樹脂製であるから、この引き抜き動作は容易になされる。
【００１４】
図３に示すように、収納用蓋１の天板８の対角線対応部分は、飲料用缶１０の直径よりも長いので、従来よりも大きな景品９等を収納できる。また、本体２の側壁３は、飲料用缶１０の外周の接線に対応する位置にあるから、余分な占有面積を必要とせず、販売時に棚に載置したり、輸送時にカートン箱に収容する場合に、従来と同様に取り扱うことができる。
【００１５】
続いて、本考案を飲料用缶に適用した場合の第２の実施形態について、図４〜図６に基づいて詳細に説明する。
【００１６】
図４に示すように、収納用蓋２１は、景品等の収納用空間を形成する透視可能な合成樹脂製の本体２２と、同じく合成樹脂製だが透視不能な台部２３とからなる。本体２２は、角部がアール状の四角筒状で四側壁２５を有し、ほぼ正方形状の天面が天板２８で閉塞され、底面は開放されている。台部２３は、本体２２に倣って平面形状がほぼ正方形状で四側壁２７を有し、上面には景品等を載置する平面形状円形の載置台２６を有している。図５に示すように、前記四側壁２７の各内面には飲料用缶４０の上縁部に係脱可能に係止するための係止突起２４を設けている（図６参照）。
【００１７】
そして、本体２２と台部２３とは、前記本体２２の各側壁２５の内面下端中央部に凹設した嵌合凹部２９に、前記台部２３上面の各側壁２７中央部に対応位置して上方に向けて突設した嵌合片３０の嵌合突起３０ａが嵌合することにより、着脱可能に取り付けられている。前記台部２３の４つの側壁２７の内面は、装着対象となる飲料用缶４０の外周の接線に対応する位置で上下方向に垂直に伸びている。
【００１８】
台部２３の各側壁２７の内面に設けた上述の各係止突起２４は、飲料用缶４０の外周面に対応する内側面が円弧状に凹入する凹入面２４ａとなっている。また、各係止突起２４の側壁２７における開放底面近傍には、飲料用缶４０の上縁部下端に係止するための係止突縁２４ｂがそれぞれ設けられる一方、各係止突起２４の側壁２７における載置台２６側には、飲料用缶４０の上縁部上端に当接するためのストッパ２４ｃがそれぞれ設けられている。
【００１９】
本実施形態は以上のように構成したので、収納用蓋２１は、本体２２と台部２３を離反した状態で載置台２６上に景品等を載置したうえ、前記本体２２の嵌合凹部２９に前記台部２３の嵌合片３０の嵌合突起３０ａを嵌合して、景品等を収納する。この収納状態で収納用蓋２１を、飲料用缶４０の上方から台部２３の開放底面を下にして押し込むと、各係止突起２４の係止突縁２４ｂが飲料用缶４０の上縁リブを乗り越えて窪み部に嵌合するとともに、ストッパ２４ｃが前記上縁リブに当接して下方への移動を阻止し、装着状態となる。この時、各係止突起２４の凹入面２４ａが飲料用缶４０の外周面に対応して、安定状態で確実に飲料用缶４０の上縁部に係止することができる。一方、収納用蓋２１を飲料用缶４０から脱却するには、上方へ引き抜けばよいものである。
【００２０】
収納用蓋２１の天板２８の対角線対応部分は、飲料用缶４０の直径よりも長いので、従来よりも大きな景品等を収納できる。また、本体２２及び台部２３の各側壁２５，２７の内面は、飲料用缶４０の外周の接線に対応する位置にあるから、余分な占有面積を必要とせず、販売時に棚に載置したり、輸送時にカートン箱に収容する場合に、従来と同様に取り扱うことができる。
【００２１】
なお、本考案は上述の実施形態に限定されるものではなく、例えば、第１の実施形態において、台紙は常に使用するものではないので、補助突起５及び補助リブ７は必ずしも常に設ける必要はないが、これらを設けることによって強度的補強になる。また、第２の実施形態における本体２２と台部２３とを着脱可能に取り付ける構成は、嵌合凹部２９と嵌合突起３０ａとの組み合わせに限らない。さらに、係止突起４，２４の構成も図示のものに限定されず、例えば係止突起２４のストッパ２４ｃは係止突起２４と一体でなく別体としてもよい。
【符号の説明】
【００２２】
１，２１      収納用蓋
２，２２      本体
３，２５，２７     側壁
４，２４     係止突起
４ａ，２４ａ      凹入面
５     補助突起
６，７     縦リブ
８，２８      天板
９    景品
１０，４０    飲料用缶
１１    台紙
２３    台部
２４ｂ    係止突縁
２４ｃ    ストッパ
２６    載置台
２９    嵌合凹部
３０    嵌合片
３０ａ    嵌合突起
【図１】
0003174777.tif 000003
【図２】
0003174777.tif 000004
【図３】
0003174777.tif 000005
【図４】
0003174777.tif 000006
【図５】
0003174777.tif 000007
【図６】
0003174777.tif 000008